(57)【特許請求の範囲】
【請求項１】
バッテリ及び商用電源を電源供給源とし、
前記電源供給源による電源供給をオンまたはオフする電源スイッチと、
使用者を識別する情報を記憶するための識別情報記憶手段と、を備える情報処理装置において、
前記電源スイッチによって電源供給がオンされた際、商用電源が接続されているか判別する電源判別手段と、
前記電源判別手段によって商用電源が接続されていないと判別された場合、使用者が正当な権限を有しているか否かを識別するための情報を入力するよう促すメッセージを出力するメッセージ出力手段と、
使用者を識別する情報を入力する識別情報入力手段と、
前記識別情報記憶手段に予め記憶されている情報と、前記識別情報入力手段によって入力された情報とが一致するか判別する一致判別手段と、
前記メッセージ出力手段の実行時にセットされ、前記識別情報記憶手段に予め記憶されている情報と、前記識別情報入力手段によって入力された情報とが一致すると前記一致判別手段が判別したときにリセットされる、履歴情報を記憶する履歴情報記憶手段とを含み、
前記電源判別手段による判別に先立ち、前記履歴情報記憶手段に記憶されている履歴情報が、セット状態か否かを判定するとともに、当該判定結果がリセット状態であるとき、当該電源判別手段による判別が実行され、
前記電源判別手段により、商用電源が接続されていると判別された場合には、システムを起動することを特徴とする情報処理装置。
【請求項２】
特定の使用者の情報を記憶する使用者情報記憶手段と、
前記一致判別手段によって一致しないと判別された場合、前記使用者情報記憶手段に予め記憶されている情報を出力する使用者情報出力手段とを更に含むことを特徴とする請求項１に記載の情報処理装置。
【請求項３】
特定の使用者の情報を記憶する使用者情報記憶手段と、
前記メッセージ出力手段によってメッセージが出力された時から所定時間以内に、前記識別情報入力手段によって使用者を識別する情報が入力されたか判別する時間判別手段と、
前記時間判別手段によって、所定時間以内に入力されなかったと判別された場合、前記使用者情報記憶手段に予め記憶されている情報を出力する使用者情報出力手段とを更に含むことを特徴とする請求項１に記載の情報処理装置。
【発明の詳細な説明】
【０００１】
【発明の属する技術分野】
本発明は、表示装置による表示機能と、入力装置による入力機能とを備え、情報の保護を必要とする商用電源またはバッテリー駆動が可能な情報処理装置に関し、具体的にはノートパソコンや携帯情報端末機器等に関するものである。
【０００２】
【従来の技術】
近年、コンピュータの小型化により、電子メールの送受信の履歴、スケジュール管理、アドレス管理などが行える携帯可能な情報機器が普及してきている。
【０００３】
従来より、これらのノートパソコンや携帯情報機器におけるセキュリティ機能としては、パスワードの設定によるものがあげられる。これは、パスワードが設定されている場合、電源オン時にパスワード入力を求めるような形態でデータ保護が行われていた。このとき、ＡＣアダプタが接続されているか接続されていないにかかわらず、電源スイッチをＯＮにすると必ずパスワード入力を求められる。使用者はパスワードを入力し、その時入力したパスワードとあらかじめ設定されたパスワードが一致する場合のみシステム（ＯＳ）が起動し、パスワードが一致しない場合は、一致しない旨のメッセージを表示するのみで、システムは起動できないようになっていた。
【０００４】
また、パスワード入力待ち画面のまま電源ＯＦＦしても、次回電源ＯＮ時にもパスワード入力画面が表示されるのみであった。
【０００５】
【発明が解決しようとする課題】
しかしながら、前記記載の技術においては、なお以下のような課題を有している。
【０００６】
情報機器にパスワードを設定している場合、持ち主自身が自宅でＡＣアダプタを接続して使用するときなど、パスワードの入力が必要ない状況においてもパスワード入力を要求されるという不便さがあった。
【０００７】
また、例えば、持ち主がパスワード設定した状態で外出先の電車やバスの中に置き忘れたとき、情報機器を見つけた善良な拾い主は、持ち主に返却するために持ち主の情報を得ることを考えるはずである。しかし、そこで持ち主の情報を得るために情報機器の電源を投入しても、パスワード入力を求められるだけであり、またパスワード入力を求められた状態で何も入力しなければ、パスワード入力を要求する画面のままバッテリが切れるまで電源ＯＮのままになっているか、または自動的に電源ＯＦＦされる。つまり、あらかじめ設定されたパスワードと一致するパスワードを入力しない限り持ち主の情報は得ることができず、持ち主に返却されるまでに時間を要したり、または返却されないという問題があった。
【０００８】
また逆に、情報機器にパスワードを設定していない場合、自宅で使用するときは電源投入時にパスワードの入力を要求されることはない。しかし、情報機器を外出先に置き忘れてしまったときは、拾い主が電源を投入すればパスワードの入力を要求されずシステムが起動できてしまう。そのため、送受信メールの履歴やアドレス、スケジュールなどの情報機器に記憶されている情報を拾い主によって見られてしまうというセキュリティ上の問題があった。
【０００９】
本発明は、上記問題点を解決するためになされたもので、その目的とするところは、自宅でＡＣアダプタを接続して使用するときにはパスワードの入力を要求せず、外出時にバッテリーで使用するときのみパスワード設定を有効にすることにより、外出時のセキュリティを損なうことなく自宅等での使い勝手を向上させることの可能な情報処理装置を提供することである。
【００１０】
また、パスワードが間違っている場合や、パスワードが入力されない場合には、システムが起動せずに持ち主の情報を表示する情報処理装置を提供することである。
【００１１】
また、パスワード入力を行わずに電源ＯＦＦした場合は、次回ＡＣアダプタを接続して電源ＯＮしても、システムが起動せずに持ち主の情報を表示する情報処理装置を提供することである。
【００１２】
【課題を解決するための手段】
上記目的を達成するため、本発明は、バッテリ及び商用電源を電源供給源とし、前記電源供給源による電源供給をオンまたはオフする電源スイッチと、使用者を識別する情報を記憶するための識別情報記憶手段と、を備える情報処理装置において、前記電源スイッチによって電源供給がオンされた際、商用電源が接続されているか判別する電源判別手段と、前記電源判別手段によって商用電源が接続されていないと判別された場合、使用者が正当な権限を有しているか否かを識別するための情報を入力するよう促すメッセージを出力するメッセージ出力手段と、使用者を識別する情報を入力する識別情報入力手段と、前記識別情報記憶手段に予め記憶されている情報と、前記識別情報入力手段によって入力された情報とが一致するか判別する一致判別手段とを含む。
【００１３】
ある局面から観ると、上記情報処理装置は、特定の使用者の情報を記憶する使用者情報記憶手段と、前記一致判別手段によって一致しないと判別された場合、前記使用者情報記憶手段に予め記憶されている情報を出力する使用者情報出力手段とを更に含む。
【００１４】
他の局面から観ると、上記情報処理装置は、特定の使用者の情報を記憶する使用者情報記憶手段と、前記メッセージ出力手段によってメッセージが出力された時から所定時間以内に、前記識別情報入力手段によって使用者を識別する情報が入力されたか判別する時間判別手段と、前記時間判別手段によって、所定時間以内に入力されなかったと判別された場合、前記使用者情報記憶手段に予め記憶されている情報を出力する使用者情報出力手段とを更に含む。
【００１５】
また、上記情報処理装置は、前記メッセージ出力手段の実行時にセットされ、前記識別情報記憶手段に予め記憶されている情報と、前記識別情報入力手段によって入力された情報とが一致すると前記一致判別手段が判別したときにリセットされる、履歴情報を記憶する履歴情報記憶手段を更に含み、前記電源判別手段による判別に先立ち、前記履歴情報記憶手段に記憶されている履歴情報が、セット状態か否かを判定するとともに、当該判定結果がリセット状態であるとき、当該電源判別手段による判別が実行され、前記電源判別手段により、商用電源が接続されていると判別された場合には、システムを起動する。
【００１６】
【発明の実施の形態】
以下に、本発明における情報処理装置の実施形態に関して図面を用いてその実施例を説明する。
【００１７】
図１は、本発明の情報処理装置の機能構成を示すブロック図である。尚、この図には本発明に係わる部分のみを示してある。
【００１８】
情報処理装置２０は、表示部１と、制御部２、入力部３、パスワード記憶部４、接続検出部５、電源部６、パスワード判別部７、持ち主情報記憶部８、タイマー９、履歴情報記憶部１０、電源スイッチ１１等から構成される。表示部１は、液晶ディスプレイ（ＬＣＤ等）等から構成される表示装置であり、制御部２からの出力情報を表示する。制御部２は、コンピュータのＯＳのユーザ・インターフェイスの制御部分のことである。入力部３は、ペンやキーボードなどで構成された入出力装置を制御する。パスワード記憶部４、持ち主情報記憶部８及び履歴情報記憶部１０はＣＭＯＳやフラッシュメモリーからなる記憶装置である。パスワード記憶部４は、予め入力部３から入力されたパスワードを記憶する。持ち主情報記憶部８は、予め入力部３から入力された持ち主情報を記憶する。履歴情報記憶部１０は、前回の電源投入時に正しいパスワードが入力されずにシステムが起動されなかった等の履歴情報を記憶する。パスワード判別部７は、パスワード記憶部４に記憶されているパスワードの内容と入力部３から入力されるパスワードが一致するかどうかを判別する。電源部６は、商用電源と接続するためのＡＣアダプタ６１と、バッテリ６２等を備え、電源スイッチ１１のオン／オフによって情報処理装置２０に電源供給を行う。接続検出部５は、ＡＣアダプタ６１が情報処理装置２０本体に接続されているかどうかを検出する。
【００１９】
その情報処理装置２０の正しい持ち主であれば通常パスワードは正確に入力されてシステムは起動するはずである。しかし、持ち主以外のパスワードを知らないだれかがその情報処理装置２０を起動させようとしてもパスワードがわからなければ起動しない。履歴情報記憶部１０は、例えば、正しいパスワードが入力されてシステムが正常に起動した場合を『０』、正しいパスワードが入力されなかったかパスワードが入力されなかったためにシステムが起動しなかった場合を『１』として、電源投入時に正しくパスワードが入力されて起動したか否かの履歴を記憶している。
【００２０】
また、ＡＣアダプタ６１が情報処理装置２０本体に接続されていることは、持ち主が自宅等で使用している場合が多い。接続検出部５は、ＡＣアダプタ６１が情報処理装置２０本体に接続されているかどうか、すなわち、商用電源が供給されているかどうかを検出することにより、自宅で持ち主本人が情報処理装置２０を起動させたのか、あるいは、外出先で起動させたのかを特定する。
【００２１】
上記各部の動作について図２のフローチャートを用いて詳細に説明する。ユーザーがまず、電源スイッチ１１で情報処理装置２０の電源を投入すると（ステップＳ１）、前回電源投入時に正しくパスワードが入力されたかどうかが記憶されている履歴情報記憶部１０の内容を参照する（ステップＳ２）。すなわち、履歴情報記憶部１０が『０』であるか『１』であるかを判断する。
【００２２】
前回電源投入時に正しいパスワードが入力されていた場合（履歴情報記憶部１０が『０』）は、接続検出部５にてＡＣアダプタ６１が情報処理装置２０に接続されているかどうか検出を行う（ステップＳ３）。ＡＣアダプタ６１が接続されている場合は、ステップＳ２における前回電源投入時に正しいパスワードが入力されていたという参照結果と合わせ、情報処理装置２０の持ち主が商用電源から自宅等で使用しようとしているとみなして、システム（ＯＳ）を起動する（ステップＳ２０）。
【００２３】
この動作により、パスワードを知り得る情報処理装置２０の持ち主本人が自宅でＡＣアダプタを接続して使用しようとした場合は、パスワードの入力を必要とせず、簡単にシステムを起動させることができる。
【００２４】
ＡＣアダプタ６１が接続されていない場合は、パスワード記憶部４を参照してパスワードが設定されているかどうか確認し（ステップＳ４）、パスワード設定されていない場合は、そのままシステムを起動する（ステップＳ２０）。パスワード設定されている場合は、履歴情報記憶部１０に『１』を記憶しておき（ステップＳ５）、制御部２がパスワード入力を要求する画面を表示部１に表示し（ステップＳ６）、入力部３からあらかじめ設定された時間（Ｔ１）以内にパスワード入力があるかどうか一定時間毎にチェックを行う（ステップＳ７及びステップＳ８）。時間のカウントはタイマー９によって行う。
【００２５】
あらかじめ設定された時間（Ｔ１）以内にパスワード入力があった場合は、タイマーをリセットして（待ち時間Ｔ１＝０に設定）さらに、パスワード判別部７にてパスワード記憶部４の内容と入力部３から入力されたパスワードが一致するかを確認する（ステップＳ９）。パスワードが一致すれば、情報処理装置２０の持ち主が使用しようとしているとみなして、履歴情報記憶部１０に『０』を記憶し（ステップＳ１０）、正常にシステムを起動する（ステップＳ２０）。
【００２６】
ステップＳ７において、パスワードの入力がなかった場合は、入力待ち時間が（Ｔ１）を超えたかどうか判断し（ステップＳ８）、超えていなければステップＳ７に戻ってさらに入力を待つ。
【００２７】
ステップＳ２において前回電源投入時に正しくパスワードが入力されなかった場合（履歴情報記憶部１０が『１』）、及び、ステップＳ８においてパスワード入力待ち時間が（Ｔ１）を超えた場合、及び、ステップＳ９においてパスワードが一致しなかった場合は、情報処理装置２０の持ち主以外の人が使用しようとしているとみなして、システムを起動させず、持ち主情報記憶部８に予め記憶された持ち主が誰であるか等の持ち主の情報を表示部１に表示する（ステップＳ１１）。
【００２８】
この動作により、例えば、情報処理装置を携帯して置き忘れたとき、パスワードを知らない拾い主が正しいパスワードを入力できなかったり、一定時間までの間に入力できなかったり、また、再度起動させようとしたりしてもシステムは起動せず、情報処理装置の情報の流出を防ぐことができる。さらに、持ち主の情報が表示されるので、拾い主は、その情報を手がかりに返却することが容易となる。
【００２９】
持ち主情報を表示すると、入力部３から持ち主情報表示の解除ボタンが押されたかどうかを一定時間毎にチェックを行い（ステップＳ１２）、解除ボタンが押されるとステップＳ６に移行し、使用者の確認のため、表示がパスワード入力要求画面に切り替わる。解除ボタンを押されていないときは入力が行われるまでの時間をタイマー９によりカウントを行い（ステップＳ１３）、あらかじめ設定された時間（Ｔ２）を超えると電源切断される（ステップＳ１４）。
【００３０】
以上の動作により、情報処理装置のパスワードを知るべき持ち主本人が、自宅でＡＣアダプタを接続して使用する場合は、パスワードの入力なしでシステムを起動させることができる。また、ＡＣアダプタの接続の有無、過去の起動のさせ方、さらにパスワードの入力によって持ち主本人が起動させようとしているか、持ち主以外の人が起動させようとしているのか判断し、持ち主以外の人であると判断した場合は、持ち主の情報のみを表示し、システムは起動されないような個人情報保護機能を有する情報処理装置を実現することができる。
【００３１】
以上、ここまで挙げた実施形態における内容は、本発明の主旨を変えない限り、上記記載に限定されるものではない。
【００３２】
【発明の効果】
本発明の情報処理装置では、以下の効果が得られる。
【００３３】
（１）ＡＣアダプタを接続して商用電源を電源供給源として情報処理装置を自宅で使用する場合は、電源投入時に識別情報の入力が使用者に促されず、逆に情報処理装置を携帯していて外出先でバッテリを電源供給源として使用する場合は、電源投入時に識別情報の入力が使用者に促され、識別情報の入力が認証された場合に限って情報処理装置の使用が可能となるため、外出時のセキュリティを損なうことなく自宅等での使い勝手を向上させることができる。
【００３４】
（２）予め情報処理装置に特定の使用者の情報を記憶させておけば、電車やバスに情報処理装置を置き忘れた場合、拾い主により入力された識別情報が認証されなくても、持ち主の連絡先等の情報が出力されることになり、誰の持ち物であるかがすぐにわかり、情報処理装置が持ち主に返却されることが容易になる。
【００３５】
（３）予め情報処理装置に特定の使用者の情報を記憶させておけば、電車やバスに情報処理装置を置き忘れた場合、識別情報が入力されずに情報処理装置が放置されても、持ち主の連絡先等の情報が出力されることになり、情報処理装置が持ち主に返却されることが容易になる。
【００３６】
（４）バッテリによるシステム起動時での識別情報の認証が確定していない場合は、商用電源による起動でも認証制御が行なわれる（換言すると、バッテリによるシステム起動時での識別情報の認証に異常をきたしていない限り、商用電源での起動では認証制御は行なわれない）ので、拾い主がＡＣアダプタを接続せずにバッテリを電源供給源として電源投入後、識別情報が分からずに識別情報入力待ちの状態で電源断すると、そのことが記憶され、次回電源投入時にはＡＣアダプタを接続して商用電源を電源供給源としても、持ち主の情報のみが表示されることとなり、個人情報を拾い主に知られないようにすることが可能となり、情報処理装置が持ち主に返却されることが容易になる。
【図面の簡単な説明】
【図１】本発明の情報処理装置の機能構成を示すブロック図である。
【図２】本発明の情報処理装置の動作を示すフローチャートである。
【符号の説明】
１    表示部
２    制御部
３    入力部
４    パスワード記憶部
５    接続検出部
６    電源部
７    パスワード判別部
８    持ち主情報記憶部
９    タイマー
１０  履歴情報記憶部
１１  電源スイッチ
２０  情報処理装置
６１  ＡＣアダプタ
６２  バッテリ
【図１】
0004567166.tif 000002
【図２】
0004567166.tif 000003